(57)【要約】【課題】監視対象で不正行為が行われる兆候を捕らえる機能を備えた監視システムを提供する。【解決手段】監視対象であるＰＣ２は、不正行為が行われる兆候を捕らえる手段としてユーザ認証手段２０を備え、ユーザ認証に失敗したことをイベントとして捕らえる。ＰＣ２は、イベントが発生すると、監視カメラ１にイベントコードを送信する。監視カメラ１は、不正行為が行われる兆候が発生したときに利用する第１の撮影条件１３を記憶し、ＰＣ２からイベントコードが送信されると、イベントコードに対応した第１の撮影条件１３を用いてＣＣＤカメラ１１をセッティングし、ＰＣ２の映像を映像記憶手段１２に記憶する。【選択図】図２
2008022169.tif 000002
【特許請求の範囲】
【請求項１】
少なくとも一つの監視対象を撮影する監視カメラを備えた監視システムであって、各々の前記監視対象は、不正行為が行われる兆候をイベントとして捕らえ、発生した前記イベントを示すイベントコードと、各々の前記監視対象を識別する情報である監視対象ＩＤとを前記監視カメラに送信するイベント検出手段を備え、前記監視カメラは、前記機器を撮影するカメラと、前記監視対象ＩＤごとに、前記イベントコードで特定される前記イベントが発生したときに、前記イベントが発生した前記監視対象を前記カメラで撮影するための撮影条件である第１の撮影条件を記憶し、前記監視対象から前記監視対象ＩＤと前記イベントコードを受信すると、受信した前記監視対象ＩＤ及び前記イベントコードで定まる前記第１の撮影条件に従い前記カメラを設定する前記カメラ制御手段とを備えていることを特徴とする監視システム。
【請求項２】
請求項１に記載の監視システムであって、各々の前記監視カメラには、前記監視対象で前記イベントが発生しないときに撮影する前記監視対象が定められ、前記カメラ制御手段は、前記イベントが発生しないときに撮影する前記監視対象を撮影するための第２の撮影条件を記憶し、前記監視対象からいずれの前記イベントコードを受信していないときは、前記第２の撮影条件に従い前記カメラを設定することを特徴とする監視システム。
【請求項３】
請求項２に記載の監視システムであって、前記カメラ制御手段は、受信した前記監視対象ＩＤ及び前記イベントコードで定まる前記第１の撮影条件に従い前記カメラを設定した後に、定められた条件が成立すると、前記第２の撮影条件に従い前記カメラを設定することを特徴とする監視システム。
【請求項４】
請求項１から請求項３のいずれかに記載の監視システムにおいて、前記監視対象の前記イベント検出手段は、前記監視対象を操作するユーザを認証するユーザ認証部を備え、前記イベント検出手段は、前記イベントとしてユーザ認証の失敗を検出することを特徴とする監視システム。
【請求項５】
請求項４に記載の監視システムにおいて、前記監視対象の前記イベント検出手段は、ユーザ認証に連続して失敗した回数に応じて、前記イベントコードが設定されることを特徴とする監視システム。
【請求項６】
少なくとも一つの監視対象を撮影する監視カメラと前記監視カメラを管理する管理サーバとを備えた監視システムであって、各々の前記監視対象は、不正行為が行われる兆候をイベントとして捕らえ、発生した前記イベントを示すイベントコードと、各々の前記監視対象を識別する情報である監視対象ＩＤとを、前記管理サーバに送信するイベント検出手段を備え、前記監視カメラは、前記機器を撮影するカメラと、前記管理サーバから送信された撮影条件に従い前記カメラを設定する前記カメラ制御手段とを備え、前記管理サーバは、前記監視対象ＩＤごとに、前記イベントコードで特定される前記イベントが発生したときに、前記イベントが発生した前記監視対象を撮影する少なくとも一つの前記監視カメラを特定する情報と、前記監視カメラの前記カメラで撮影するための撮影条件である第１の撮影条件を記憶し、前記監視対象から前記監視対象ＩＤと前記イベントコードを受信すると、受信した前記監視対象ＩＤ及び前記イベントコードで特定される前記監視カメラに前記第１の撮影条件を送信する手段とを備えていることを特徴とする監視システム。
【請求項７】
請求項６に記載の監視システムであって、各々の前記監視カメラには、前記監視対象で前記イベントが発生しないときに撮影する前記監視対象が定められ、前記監視カメラは、前記イベントが発生しないときに撮影する前記監視対象を撮影するための第２の撮影条件を記憶し、前記管理サーバから前記第１の撮影条件を受信していないときは前記第２の撮影条件に従い前記カメラを設定することを特徴とする監視システム。
【請求項８】
請求項７に記載の監視システムであって、前記監視カメラは、前記管理サーバから前記第１の撮影条件を受信した後に、定められた条件が成立すると、前記第２の撮影条件に従い前記カメラを設定することを特徴とする監視システム。
【請求項９】
請求項６から請求項８のいずれかに記載の監視システムにおいて、前記監視対象の前記イベント検出手段は、前記監視対象を操作するユーザを認証するユーザ認証部を備え、前記イベント検出手段は、前記イベントとしてユーザ認証の失敗を検出することを特徴とする監視システム。
【請求項１０】
請求項９に記載の監視システムにおいて、前記監視対象の前記イベント検出手段は、ユーザ認証に連続して失敗した回数に応じて、前記イベントコードが設定されることを特徴とする監視システム。
【発明の詳細な説明】
【技術分野】
【０００１】
本発明は、監視カメラを備え、防犯などの目的として設置される監視システムに関し、更に詳しくは、不正行為が行われる兆候を捕らえる機能を備えた監視システムに関する。
【背景技術】
【０００２】
防犯などを目的として、大型店舗、金融機関または企業のオフィスなどには、監視カメラが設置され、高額商品の陳列場所、ＡＴＭまたは機密情報を取り扱うＰＣなど、セキュリティに重要なエリアの映像が監視カメラで撮影される。
【０００３】
従来の監視カメラが撮影するエリアは固定されているため、トラブルが発生したときセキュリティに重要なエリアの映像を解析し易くするために、監視カメラには、様々な工夫が施されている。
【０００４】
例えば、特許文献１では、広角または魚眼レンズを用いた監視カメラで撮影した映像の中で、特定エリアと特定エリア以外の画素数を変えて記憶することで、セキュリティ的に重要な特定エリアの映像を拡大再生しても、画素が粗くならない監視カメラシステムが開示されている。
【特許文献１】特開２０００−２７０２９７公報
【発明の開示】
【発明が解決しようとする課題】
【０００５】
しかしながら、従来の監視カメラシステムでは、撮影対象に発生じた事象に基づいて、能動的に撮影条件を変化させていないため、トラブルが発生したときの状況をより詳細に撮影することはできなった。
【０００６】
例えば、企業のオフィスにおいては、機密情報を取り扱うＰＣが不正操作された場合、様々な角度からその状況を撮影し、不正行為が発生したときの解析を迅速に行えることが望ましい。
【０００７】
そこで、本発明は、店舗や企業などに設置される監視システムにおいて、不正行為が行われる兆候を捕らえて、不正行為が行われる兆候が発生した箇所の映像を重点的に撮影することのできる監視システムを提供することを目的とする。
【課題を解決するための手段】
【０００８】
上述した課題を解決する第１の発明は、少なくとも一つの監視対象を撮影する監視カメラを備えた監視システムであって、各々の前記監視対象は、不正行為が行われる兆候をイベントとして捕らえ、発生した前記イベントを示すイベントコードと、各々の前記監視対象を識別する情報である監視対象ＩＤとを前記監視カメラに送信するイベント検出手段を備え、前記監視カメラは、前記機器を撮影するカメラと、前記監視対象ＩＤごとに、前記イベントコードで特定される前記イベントが発生したときに、前記イベントが発生した前記監視対象を前記カメラで撮影するための撮影条件である第１の撮影条件を記憶し、前記監視対象から前記監視対象ＩＤと前記イベントコードを受信すると、受信した前記監視対象ＩＤ及び前記イベントコードで定まる前記第１の撮影条件に従い前記カメラを設定する前記カメラ制御手段とを備えていることを特徴とする。
【０００９】
更に、第２の発明は、第１の発明に記載の監視システムであって、各々の前記監視カメラには、前記監視対象で前記イベントが発生しないときに撮影する前記監視対象が定められ、前記カメラ制御手段は、前記イベントが発生しないときに撮影する前記監視対象を撮影するための第２の撮影条件を記憶し、前記監視対象からいずれの前記イベントコードを受信していないときは、前記第２の撮影条件に従い前記カメラを設定することが望ましい。
【００１０】
更に、第３の発明は、第２の発明に記載の監視システムであって、前記カメラ制御手段は、受信した前記監視対象ＩＤ及び前記イベントコードで定まる前記第１の撮影条件に従い前記カメラを設定した後に、定められた条件が成立すると、前記第２の撮影条件に従い前記カメラを設定することが望ましい。
【００１１】
更に、第４の発明は、少なくとも一つの監視対象を撮影する監視カメラと前記監視カメラを管理する管理サーバとを備えた監視システムであって、各々の前記監視対象は、不正行為が行われる兆候をイベントとして捕らえ、発生した前記イベントを示すイベントコードと、各々の前記監視対象を識別する情報である監視対象ＩＤとを、前記管理サーバに送信するイベント検出手段を備え、前記監視カメラは、前記機器を撮影するカメラと、前記管理サーバから送信された撮影条件に従い前記カメラを設定する前記カメラ制御手段とを備え、前記管理サーバは、前記監視対象ＩＤごとに、前記イベントコードで特定される前記イベントが発生したときに、前記イベントが発生した前記監視対象を撮影する少なくとも一つの前記監視カメラを特定する情報と、前記監視カメラの前記カメラで撮影するための撮影条件である第１の撮影条件を記憶し、前記監視対象から前記監視対象ＩＤと前記イベントコードを受信すると、受信した前記監視対象ＩＤ及び前記イベントコードで特定される前記監視カメラに前記第１の撮影条件を送信する手段とを備えていることを特徴とする。
【００１２】
更に、第５の発明は、第４の発明に記載の監視システムであって、各々の前記監視カメラには、前記監視対象で前記イベントが発生しないときに撮影する前記監視対象が定められ、前記監視カメラは、前記イベントが発生しないときに撮影する前記監視対象を撮影するための第２の撮影条件を記憶し、前記管理サーバから前記第１の撮影条件を受信していないときは前記第２の撮影条件に従い前記カメラを設定することが望ましい。
【００１３】
更に、第６の発明は、第５の発明に記載の監視システムであって、前記監視カメラは、前記管理サーバから前記第１の撮影条件を受信した後に、定められた条件が成立すると、前記第２の撮影条件に従い前記カメラを設定することが望ましい。
【００１４】
なお、本発明において、前記監視対象の前記イベント検出手段は、前記監視対象を操作するユーザを認証するユーザ認証部を備え、前記イベント検出手段は、前記イベントとしてユーザ認証の失敗を検出することが望ましい。また、前記監視対象の前記イベント検出手段は、ユーザ認証に連続して失敗した回数に応じて、前記イベントコードを設定することが望ましい。
【発明の効果】
【００１５】
上述した本発明によれば、各々の監視対象が、不正行為が行われる兆候をイベントとして捕らえるイベント検出手段を備え、監視対象で発生したイベントに応じた撮影条件によって、イベントが発生した監視対象を監視カメラで撮影することで、不正行為が行われる兆候を捕らえて、そのときの映像を重点的に撮影することのできる。
【００１６】
更に、イベントが発生しないときに監視カメラが撮影する監視対象を定めておけば、不正行為が行われる兆候であるイベントが発生したときのみ、イベントが発生した監視対象を重点的に撮影することのできる。
【００１７】
更に、監視対象のイベント検出手段が、監視対象を操作するユーザを認証するユーザ認証部を備えることで、監視対象の不正利用をイベントとして検出することができる。また、ユーザ認証に連続して失敗した回数に応じたイベントコードを設定し、イベントコードごとに第１の撮影条件を定めることで、ユーザ認証に連続して失敗した回数に応じて、より詳細に監視対象を撮影することができる。
【発明を実施するための最良の形態】
【００１８】
ここから、本発明に係る監視システムについて、図を参照しながら詳細に説明する。図１は、本発明に係る監視システムの作用を説明するための図で、図１の監視システムは、監視対象として２台のパーソナルコンピュータ２（以下、ＰＣ）と、ＰＣ２の不正行為の兆候を捕らえて、不正行為の兆候が発生したＰＣ２を重点的に撮影する機能を備えた複数（ここでは、２台）の監視カメラ１とから構成されている。
【００１９】
なお、今後、２台のＰＣ２をそれぞれ明確に区別したいとき、図１において右側のＰＣ２をＰＣ２＿１と記し、左側のＰＣ２をＰＣ２＿２と記す。同じく、２台の監視カメラ１を明確に区別したいとき、図１において右側の監視カメラ１を監視カメラ１＿１と記し、左側の監視カメラ１を監視カメラ１＿２と記す。
【００２０】
図１（ａ）は、２台のＰＣ１のいずれにおいても、不正行為の兆候が発生していないときの図で、不正行為の兆候が発生していないとき、監視カメラ１＿１はＰＣ２＿１を撮影し、監視カメラ１＿２はＰＣ２＿２を撮影する。
【００２１】
図１（ｂ）は、ＰＣ２＿１で不正行為の兆候が発生した後の図で、ＰＣ２＿１を利用するユーザのユーザ認証に失敗した場合など、２台の監視カメラ１が、ＰＣ２＿１で不正行為の兆候が発生したことを検知すると、２台の監視カメラ１はＰＣ２＿１を重点的に撮影し、不正行為が発生したときの解析を迅速に行えるようにする。
【００２２】
図１（ａ）及び図１（ｂ）で示したように、不正行為の兆候が発生する前後で、それぞれの監視カメラ１が撮影するエリア、倍率、画素数など定める撮影条件を変更することで、不正行為が発生したときの状況を鮮明に撮影することができる。
【００２３】
図２は、図１で示した監視システムのブロック図である。図２で示したように、それぞれの監視カメラ１と、監視カメラ１の監視対象となるＰＣ２はネットワーク３（ここでは、ＬＡＮ）を介して接続され、不正行為の兆候を示すイベントがＰＣ２で発生すると、ネットワーク３を介して、発生したイベントを示すイベントコードがＰＣ２から監視カメラ１へ送信される。
【００２４】
本実施の形態において、ＰＣ２は、不正行為の兆候を示すイベントを検出するイベント検出手段として、ＰＣ２を利用するユーザを認証するユーザ認証手段２０を備える。ＰＣ２に備えられたユーザ認証手段２０で実施されるユーザ認証の種類は問わず、パスワードを用いた方式でもよく、ユーザのバイオメトリクス情報（指紋情報など）を用いた方式でもよい。
【００２５】
ＰＣ２のユーザ認証手段２０は、不正行為の兆候を示すイベントとしてユーザ認証の失敗を検出し、ユーザ認証に失敗すると、ユーザ認証に失敗したことを示すイベントコードと、ＰＣ２を特定するためのＩＤ情報（例えば、ＩＰアドレスやＭＡＣアドレス）を監視カメラ１に送信する。
【００２６】
監視カメラ１には、監視対象となるＰＣ２を撮影するＣＣＤカメラ１１と、ＣＣＤカメラ１１が撮影した映像を記憶するための映像記憶手段１２と、監視対象となるＰＣ２から送信されたイベントコードに基づいて、ＣＣＤカメラ１１のセッティングを自動的に制御するカメラ制御手段１０とを備える。
【００２７】
ＣＣＤカメラ１１は、ＣＣＤカメラ１１のアングル（上下・左右のアングル）、ズーム及びフォーカスが調整可能であり、カメラ制御手段１０から指示されたセッティングで、監視対象であるＰＣ２を撮影し、ハードディスクなどの映像記憶手段１２に撮像した映像を記憶する。
【００２８】
ＣＣＤカメラ１１のアングルを変更できることは、ＣＣＤカメラ１１が撮影するエリアを変更できることを意味し、ＣＣＤカメラ１１のズーム・フォーカスを変更できることは、鮮明なＰＣ２の映像を撮影できることを意味する。
【００２９】
監視カメラ１に備えられたカメラ制御手段１０は、ＣＣＤカメラ１１のセッティングを自動的に制御する手段で、ＣＣＤカメラ１１のセッティングを自動的に制御するために、第１の撮影条件１３と第２の撮影条件１４を記憶する。第１の撮影条件１３及び第２の撮影条件１４によって、ＣＣＤカメラ１１のセッティング、すなわち、ＣＣＤカメラ１１のアングル、ズーム及びフォーカスは一意に決定される。
【００３０】
第１の撮影条件１３とは、ＰＣ２でイベントが発生したときに利用される撮影条件で、カメラ制御手段１０は、監視対象であるＰＣ２のＩＤ情報ごとに、ＰＣ２で発生するイベントコードに関連付けて第１の撮影条件１３を記憶している。
【００３１】
本実施の形態においては、監視カメラ１は、ＰＣ２＿１用の第１の撮影条件１３と、ＰＣ２＿２用の第１の撮影条件を記憶し、ＰＣ２＿１或いはＰＣ２＿２のいずれかからイベントコードを受信すると、イベントコードを送信したＰＣ２に対応する第１の撮影条件１３を選択し、定められた条件が成立するまで、この第１の撮影条件１３を使用する。
【００３２】
ここで、定められた条件の例としては、ＰＣ２でユーザ認証の成功、一定期間の経過などがこの条件として利用でき、「ＰＣ２でのユーザ認証の成功、或いは、一定期間の経過」などのように、複数の条件を組み合せて利用してもよい。
【００３３】
例えば、監視カメラ１＿２のＰＣ２＿１用の第１の撮影条件１３は、すなわち、不正行為の兆候を示すイベントであるユーザ認証の失敗がＰＣ２＿１で発生したときに利用される撮影条件は、ＰＣ２＿１を高倍率で撮影するように設定される。
【００３４】
また、第２の撮影条件１４とは、ＰＣ２でイベントが発生していないときのＣＣＤカメラ１１の撮影条件で、通常使用される一つの撮影条件である。例えば、監視カメラ１＿１の第２の撮影条件１４はＰＣ２＿１を撮影するように設定され、監視カメラ１＿２の第２の撮影条件１４はＰＣ２＿２を撮影するように設定される。
【００３５】
不正行為の兆候を示すイベントであるユーザ認証の失敗がＰＣ２＿１で発生していないときは、図１（ａ）で示したように、例えば、監視カメラ１＿１はＰＣ２＿１を撮影し、監視カメラ１＿２はＰＣ２＿２を撮影する。
【００３６】
ユーザ認証の失敗がＰＣ２＿１で発生し、監視カメラ１＿２がＰＣ２＿１からＩＤ情報及びイベントコードとを受信すると、監視カメラ１＿２のカメラ制御手段１０は、受信したＩＤ情報の中で、受信したイベントコードに対応する第１の撮影条件１３を選択し、ＣＣＤカメラ１１をセッティングすることで、図１（ｂ）に図示したように、監視カメラ１＿２はＰＣ２＿１を撮影する。
【００３７】
当然のことながら、第１の撮影条件と第２の撮影条件１４とでは、同じＰＣ２を撮影しても構わない。例えば、第２の撮影条件１４ではＰＣ２＿１を撮影するようにセッティングし、ＰＣ２＿１でユーザ認証の失敗が生じたときに、第２の撮影条件１４とは異なる第１の撮影条件１３（例えば、倍率を上げる）で撮影することもできる。
【００３８】
更に、ユーザ認証に連続して失敗することは、ＰＣ２の不正行為が実施されることが高まったことを意味するため、ＰＣ２のユーザ認証手段２０は、ユーザ認証に連続して失敗した回数に応じて、異なるイベントコードを設けるとよい。
【００３９】
このとき、監視カメラ１のカメラ制御手段１０には、ユーザ認証に連続して失敗した回数に応じたイベントコードごとに第１の撮影条件１３を記憶し、ＰＣ２のユーザ認証手段２０で、ユーザ認証に連続して失敗するごとに、異なる撮影条件でＰＣ２を撮影する。
【００４０】
ユーザ認証に連続して失敗した回数に応じて撮影条件を変更することで、失敗するごとに倍率を拡大するなどして、より詳細にユーザ認証に失敗した回数に応じて撮影条件を変更することができる。
【００４１】
更に、上述した実施の形態では、ＰＣ２が居室内の監視カメラ１にイベントコードを直接送信しているが、居室内に設置された監視カメラ１すべてを統括する管理サーバを設け、管理サーバがＰＣ２からのイベントコードを一括して受信し、監視カメラ１の撮影条件を割り出し、各々の監視カメラ１に制御命令を送信することとしても良い。
【００４２】
図３は、管理サーバ１３０を設けたときのブロック図である。図３で示したように、それぞれの監視カメラ１００と、監視カメラ１００の監視対象となるＰＣ１２０はネットワーク１４０（ここでは、ＬＡＮ）を介して接続され、更に、不正行為の兆候を示すイベントがＰＣ１２０で発生したきに、ネットワーク１４０を介して、ＰＣ１２０から、ＰＣ１２０のＩＤ情報と、発生したイベントを示すイベントコードとが送信される管理サーバ１３０を備えている。
【００４３】
図３のＰＣ１２０も、図２で示したＰＣ２と同様に、不正行為の兆候を示すイベントを検出するイベント検出手段として、ＰＣ１２０を利用するユーザを認証するユーザ認証手段１２１を備えている。
【００４４】
監視カメラ１００には、監視対象となるＰＣ１２０を撮影するＣＣＤカメラ１１１と、ＣＣＤカメラ１１１が撮影した映像を記憶するための映像記憶手段１１２と、管理サーバ１３０から送信される第１の撮影条件１３３に基づいて、ＣＣＤカメラ１１１を制御するカメラ制御手段１１０を備え、管理サーバ１３０から第１の撮影条件１３３を受信していないときの撮影条件である第２の撮影条件１１３を備える。
【００４５】
管理サーバ１３０には、第１の撮影条件を記憶する撮影条件ＤＢ１３２と、ＰＣ１２０から送信されたＩＤ情報とイベントコードに従い、撮影条件ＤＢ１３２の中から、制御対象となる監視カメラ１００へ指示する第１の撮影条件を抽出する撮影条件抽出手段１３１とを備える。
【００４６】
第１の撮影条件とは、上述したように、監視対象となるＰＣ２でイベントが発生したときに利用される撮影条件で、撮影条件ＤＢ１３２には、監視対象であるＰＣ２のＩＤ情報ごとに、ＰＣ２で発生するイベントコードに関連付けて、制御対象となる監視カメラ１００を識別するための識別情報（例えば、ＩＰアドレス）と第１の撮影条件を記憶している。なお、当然のことながら、制御対象となる監視カメラ１００は複数台であっても構わない。
【００４７】
管理サーバ１３０の撮影条件抽出手段１３１は、ＰＣ１２０から、ＩＤ情報とイベントコードが送信されると、撮影条件ＤＢ１３２の中から、送信されたこれらの情報に対応する監視カメラの識別情報と第１の撮影条件を抽出し、抽出したすべての監視カメラ１００に第１の撮影条件を送信する。
【００４８】
そして、管理サーバ１３０から第１の撮影条件が送信された監視カメラ１００のカメラ制御手段１０は、送信された第１の撮影条件１３３に従いＣＣＤカメラ１１をセッティングし、定められた条件が成立した後に、第２の撮影条件１１３に従いＣＣＤカメラ１１１をセッティングする。
【図面の簡単な説明】
【００４９】
【図１】監視システムの作用を説明するための図。
【図２】監視システムのブロック図。
【図３】管理サーバを設けたときの監視システムのブロック図。
【符号の説明】
【００５０】
１  監視カメラ
１０  カメラ制御手段、１１  ＣＣＤカメラ、１２  映像記憶手段
１３  第１の撮影条件、１４  第２の撮影条件
２  ＰＣ
２０  ユーザ認証手段
３  ネットワーク
１００  監視カメラ
１１０  カメラ制御手段、１１１  ＣＣＤカメラ、１１２  映像記憶手段
１１３  第２の撮影条件
１２０  ＰＣ
１２１  ユーザ認証手段
１３０  管理サーバ
１３１  撮影条件抽出手段、１３２  撮影条件ＤＢ、１３３  第１の撮影条件
【図１】
2008022169.tif 000003
【図２】
2008022169.tif 000004
【図３】
2008022169.tif 000005